(57)【要約】【課題】２つの電子機器の間での信号伝送の改善された適合化を可能にする。【解決手段】それぞれ送信器８ａ、８ｂと受信器７ａ、７ｂとを有する２つの電子機器１、２は、物理的なインターフェースを介して相互に接続される。アナログ信号は一方の機器１、２の送信器８ａ、８ｂから伝送区間９ａ、９ｂに沿って他方の機器１、２の受信器７ａ、７ｂへと伝送される。第１の機器１、２の受信器７ａ、７ｂと第２の機器１、２の送信器８ａ、８ｂとの間の伝送区間９ａ、９ｂでの電磁波伝播を記述するために、既知である散乱パラメータ１０ａ、１０ｂ、１０ｃ、１１ｄが第１の機器１、２から取得され、第２の機器１、２へ伝送され、両方の機器１、２に既知であるすべての散乱パラメータ１０ａ〜１０ｄ、１１ａ〜１１ｄに基づく伝送区間９ａ、９ｂの高周波記述を参照して、第２の機器１、２の送信器８ａ、８ｂのパラメータが適合化される。【選択図】図１
2011003192.tif 000002
【特許請求の範囲】
【請求項１】
物理的なインターフェースを介して相互に接続され、それぞれ送信器（８ａ、８ｂ）と受信器（７ａ、７ｂ）とを有する２つの電子機器（１、２）の間で、一方の前記電子機器（１、２）の前記送信器（８ａ、８ｂ）から伝送区間（９ａ、９ｂ）に沿って他方の前記電子機器（１、２）の前記受信器（７ａ、７ｂ）へと伝送される信号の伝送を適合化する方法であって、
第１の機器（１、２）の前記受信器（７ａ、７ｂ）と第２の機器（１、２）の前記送信器（８ａ、８ｂ）との間の前記伝送区間（９ａ、９ｂ）での電磁波伝播を記述するために、前記第１の機器（１、２）に既知である散乱パラメータ（１０ａ、１０ｂ、１０ｃ、１１ｄ）を前記第１の機器（１、２）から取得するステップと、
前記散乱パラメータ（１０ａ、１０ｂ、１０ｃ、１１ｄ）を前記第２の機器（１、２）へ伝送するステップと、
両方の前記電子機器（１、２）に既知となった前記散乱パラメータ（１０ａ〜１０ｄ、１１ａ〜１１ｄ）に基づいて、前記第１の機器（１、２）の前記受信器（７ａ、７ｂ）と前記第２の機器（１、２）の前記送信器（８ａ、８ｂ）との間の前記伝送区間（９ａ、９ｂ）の高周波記述を前記第２の機器（１、２）によって決定するステップと、
前記伝送区間（９ａ、９ｂ）の前記高周波記述に依存して前記第２の機器（１、２）の前記送信器（８ａ、８ｂ）のパラメータを適合化するステップと、
を含むことを特徴とする方法。
【請求項２】
両方の前記電子機器（１、２）に既知であるすべての散乱パラメータ（１０ａ〜１０ｄ、１１ａ〜１１ｄ）は、前記第２の機器（１、２）のレジスタ（１２）に保存される、
ことを特徴とする請求項１に記載の方法。
【請求項３】
前記高周波記述を決定するステップにおいて、前記レジスタ（１２）に保存されている前記散乱パラメータ（１０ａ〜１０ｄ、１１ａ〜１１ｄ）が援用され、前記第２の機器（１、２）の処理ユニット（１３）で高周波記述を構成するように処理される、
ことを特徴とする請求項２に記載の方法。
【請求項４】
前記送信器（８ａ、８ｂ）のパラメータを適合化するステップにおいて、前記高周波記述が前記処理ユニット（１３）から前記第２の機器（１、２）の適合化ユニット（１４）に送られ、該適合化ユニット（１４）は、前記送信器（８ａ、８ｂ）のパラメータを前記高周波記述に基づいて算定する、
ことを特徴とする請求項３に記載の方法。
【請求項５】
前記送信器（８ａ、８ｂ）の算定されたパラメータは、前記第２の機器（１、２）の調整レジスタ（１６）で保存される、
ことを特徴とする請求項４に記載の方法。
【請求項６】
前記送信器（８ａ、８ｂ）は、前記調整レジスタ（１６）からのパラメータを用いて信号伝送のために適合化される、
ことを特徴とする請求項５に記載の方法。
【請求項７】
コンピュータシステム（１）と周辺機器（２）とを備える構造であって、
前記周辺機器（２）は、物理的なインターフェースを介して前記コンピュータシステム（１）に接続され、
前記コンピュータシステム（１）および前記周辺機器（２）は、前記コンピュータシステム（１）と前記周辺機器（２）との間での信号伝送のために送信器（８ａ、８ｂ）と受信器（７ａ、７ｂ）をそれぞれ有し、
前記構造は請求項１乃至６のいずれか１項に記載の方法を実施するように構成されている、
ことを特徴とする構造。
【発明の詳細な説明】
【技術分野】
【０００１】
本発明は、物理的なインターフェースを介して相互に接続され、それぞれ送信器と受信器とを有する２つの電子機器の間での信号伝送を適合化する方法に関し、信号は一方の機器の送信器から伝送区間に沿って他方の機器の受信器へと伝送される。
【０００２】
さらに本発明は、コンピュータシステムと周辺機器とを備える構造に関し、周辺機器は物理的なインターフェースを介してコンピュータシステムに接続されており、コンピュータシステムと周辺機器は、コンピュータシステムと周辺機器との間での信号伝送のために送信器と受信器をそれぞれ有している。
【背景技術】
【０００３】
コンピュータシステムでは、２つの部品または機器、例えばマザーボードおよび内蔵のハードディスクまたは外部の周辺機器などが、物理的なインターフェースを介して相互に接続され、それによってデータを相互に交換することができる。現在使用されているインターフェースは、例えばＵｎｉｖｅｒｓａｌ  Ｓｅｒｉａｌ  Ｂｕｓ（ＵＳＢ）、Ｓｍａｌｌ  Ｃｏｍｐｕｔｅｒ  Ｓｙｓｔｅｍ  Ｉｎｔｅｒｆａｃｅ（ＳＣＳＩ）、Ｓｅｒｉａｌ  Ａｔｔａｃｈｅｄ  ＳＣＳＩ（ＳＡＳ）、Ｓｅｒｉａｌ  Ａｄｖａｎｃｅｄ  Ｔｅｃｈｎｏｌｏｇｙ  Ａｔｔａｃｈｍｅｎｔ（ＳＡＴＡ）、またはＦｉｂｒｅ  Ｃｈａｎｎｅｌ（ＦＣ）などである。例えば伝送速度、個々のデータパッケージの形態および内容、または接続されている機器相互のアドレシングおよび通信といった伝送特性は、どのインターフェースでも付属の伝送プロトコルで規定される。
【０００４】
物理的なインターフェースは、ケーブルと、電気導体と、個々の機器の間の差込接続部とで構成されている。データや情報は、個々のビットのデジタル情報をコーディングするために、例えば振幅に関して変調されるアナログ信号を通じて各機器の間で伝送される。例えばＬｏｗレベルは論理値「０」に対応しており、Ｈｉｇｈレベルは論理値「１」に対応している。このとき各々の機器は、アナログ信号をプロトコルどおりにインターフェースを介して送受信する送信器と受信器とを有している。このとき送信器と受信器は専用の回路または集積回路（ＩＣ）であり、機器において送信器と受信器はいわゆるトランシーバ（トランスミッタ＝送信器、レシーバ＝受信器）とひとくくりに呼ばれることが多い。送信器および受信器の個々の回路は、物理的な信号伝送というそれぞれの役割に準じて、トランスミッタＰＨＹまたはレシーバＰＨＹとも呼ばれる。
【０００５】
コネクタ、回線、および配線板の配線で構成される伝送区間を備える物理的なインターフェースは、２つの機器の送信器と受信器の間での信号伝送に影響を及ぼす。高周波散乱や電磁干渉により、送信される信号は伝送中に物理的なインターフェースにおいて改変、妨害される。しかし、送信される信号の特性は伝送プロトコルに従って１回だけ規定され、それ以後は変更されない。従って、誤りのない信号伝送のために、多くの場合、特許文献１から一般に知られているようなインターフェースのキャリブレーションが行われる。
【０００６】
さらに、所定の伝送プロトコルに基づくスペックの要求事項に合わせた受信器のパラメータの適合化を行う、または、受信器の設定に従って信号振幅を再調節するという解決法がある。例えば、受信器は、アナログ信号の受信後に、送信器が信号振幅を増大または減少させるべきかどうかを送信器に知らせることができる。
【先行技術文献】
【特許文献】
【０００７】
【特許文献１】独国特許出願公開第１０２００７０１０２８４号明細書
【発明の概要】
【発明が解決しようとする課題】
【０００８】
しかし、これらの解決法はすべて欠点を有する。すなわち、受信器や信号振幅を後から適合させ、または調整しても、信号伝送の改善に限度がある。
【０００９】
本発明は、２つの電子機器の間での信号伝送の改善された適合化を可能にする方法および構造を提供することを目的とする。
【課題を解決するための手段】
【００１０】
この課題は第１の態様においては、第１の機器の受信器と第２の機器の送信器との間の伝送区間における電磁波伝播を記述するために、第１の機器に既知である散乱パラメータを第１の機器から取得するステップと、散乱パラメータを第２の機器へ伝送するステップと、両方の機器に既知であるすべての散乱パラメータに基づいて、第１の機器の受信器と第２の機器の送信器との間の伝送区間の高周波記述を第２の機器によって決定するステップと、伝送区間の高周波記述に基づいて第２の機器の送信器のパラメータを適合化するステップと、を含む前述した種類の方法によって解決される。
【００１１】
このような種類の方法によって、一方の機器の送信器が伝送区間の特性を正確かつ完全に検出できるようになるので、最善の信号伝送が確保されるように、インターフェースの物理的条件に合わせて信号特性を適合化することができる。このとき送信器のパラメータは、２つの電子機器の間の物理的なインターフェースのその都度の伝送区間について、可能な限り良好に、かつ個別的に調整される。引き続いて、受信された信号に即して受信器も適合化することが考えられる。
【００１２】
ここで、Ｓパラメータまたはスキャッタリングパラメータとも呼ばれる散乱パラメータは、一般に、入力部と出力部を備える４つの電気端子での電磁波の伝送と反射を表す目安であり、４つの電気端子を通過するときの高周波信号の出力変化を反映するものである。従って、散乱パラメータは、２つの機器の送信器と受信器の間の物理的なインターフェースのコネクタ、回線、および配線における高周波信号の影響という観点から有効な記述手段である。そのようにして、すべての散乱パラメータを利用した上で、２つの機器の間の伝送区間の全体的な高周波区間記述を作成することができる。送信器のパラメータは、物理的なインターフェースの伝送区間が、伝送される信号にできるだけ影響を及ぼさないように適合化される。このようにして受信器は、スペックの要求事項を可能な限り満たす信号を受けとる。
【００１３】
１つの好ましい実施形態では、第１の機器に既知である散乱パラメータは、第１の機器の送信器と第２の機器の受信器との間の伝送区間を介して伝送される。
【００１４】
第１の機器に既知である散乱パラメータは、インターフェースの最低の伝送速度で第２の機器へ伝送されるのが好ましい。このようにして、両方の機器が誤りなく作動し、それによって散乱パラメータを誤りなく第２の機器へ伝送できることが保証される。従って、第２の機器は、伝送区間全体の正確な高周波記述を算定することができる。
【００１５】
第２の機器の送信器のパラメータの適合化は、インターフェースのすべての伝送速度について別々に実施されるのが好ましい。これには、物理的なインターフェースにおける信号伝送の速度による影響も、同じように低減することができるという利点がある。このとき送信器はすべての動作モードで、例えば低速度モードや高速度モードで、最善に適合化される。
【００１６】
１つの好ましい実施形態では、両方の機器に既知であるすべての散乱パラメータが第２の機器のレジスタに保存される。
【００１７】
レジスタに保存されている散乱パラメータが高周波記述の判定のために援用され、第２の機器の処理ユニットで高周波記述のために処理されるのが好ましい。
【００１８】
さらに、送信器のパラメータを適合化するために、高周波記述が、処理ユニットから、高周波記述に依存して送信器のパラメータを算定する第２の機器の適合化ユニットへ伝送されるのが好ましい。
【００１９】
算定された送信器のパラメータは、第２の機器の調整レジスタに保存されるのが好ましい。第２の機器の送信器は、調整レジスタに保存されたパラメータを用いて、信号伝送のために適合化される。
【００２０】
前述した方法は、第２の機器の送信器についてだけでなく、第１の機器の送信器についても実施されるのが好ましい。これは、第２の機器の送信器を完全な高周波記述を用いて物理的なインターフェースの伝送区間に適合化できるばかりでなく、第２の機器の送信器も同様であることを意味している。すなわち両方の機器の送信器が、インターフェースに沿った信号伝送のために最善に適合化される。このとき、物理的なインターフェースの設定に応じて、インターフェースは、双方向の信号伝送のための回線を有しているか、または単方向の伝送路を有している。前者の場合、信号は電圧レベルの形態で１つ以上の回線を介して、一方の機器の送信器から他方の機器の受信器へと両方向へ伝送される。後者の場合、１つ以上の回線が、一方の機器の送信器から他方の機器の受信器へ１方向へのみの信号伝送を行う。従って、両方の機器の送信器について前述した方法を実施することにより、これらの機器を、物理的なインターフェースの伝送設定に合わせて最善に適合化することができる。
【００２１】
両方の送信器のパラメータを適合化した後に、両方の機器の間の伝送速度の速度適合化が行われるのが好ましい。この速度適合化にあたって両方の機器は、両方の機器がサポートすることができる、プロトコルに適合した可能な限り高い伝送速度について取り決めを行う。これに引き続いて、適合化された伝送速度で信号伝送を行うことができる。
【００２２】
本方法は、物理的なインターフェースの伝送区間が変更される度に実施されるか、または、既定の時点で周期的に実施されるのが好ましい。これは、物理的なインターフェースの伝送特性が変化した場合に、両方の機器の送信器が毎回あらためてパラメータ化されることを意味している。これは、例えば異なる高周波特性を持つケーブルやコネクタが使用される場合に当てはまる。しかしながら既定の時点で、例えばプロトコルに適合した速度適合化があらためて行われる前に、本方法を実施することも考えられる。
【００２３】
第２の態様では、前記課題は冒頭に述べた種類のコンピュータシステムと周辺機器とを備える構造によって解決され、この構造は前述した種類の方法を実施するように構成されている。これは、この構造がコンピュータシステムと周辺機器とを含んでおり、周辺機器は物理的なインターフェースを介してコンピュータシステムに接続されており、コンピュータシステムおよび周辺機器は、コンピュータシステムと周辺機器との間での信号伝送のために送信器と受信器をそれぞれ有していることを意味している。特に、両方の機器は制御パラメータを保存するためのレジスタと、散乱パラメータから高周波記述を算定するための処理ユニットと、それぞれの送信器のパラメータを算定するための適合化ユニットとをそれぞれ含んでいるのが好ましい。その手順については上述のとおりである。
【００２４】
１つの好ましい実施形態では、コンピュータシステムは周辺機器が接続されたホスト・バス・アダプタを有している。周辺機器はハードディスクであるのが好ましい。
【００２５】
上記以外の好ましい実施形態は、従属請求項ならびに図面の説明に開示されている。このとき好ましい発展例のあらゆる組み合わせが可能であり、本発明に含まれる。
【図面の簡単な説明】
【００２６】
【図１】周辺機器を備えるコンピュータシステムの構造を模式化した図である。
【図２】送信器のパラメータを適合化するための各構成要素を模式化した図である。
【発明を実施するための形態】
【００２７】
次に、複数の図面を参照しながら本発明について詳しく説明する。
【００２８】
図１は、周辺機器２を備えるコンピュータシステム１の構造を模式化した図を示している。コンピュータシステム１および周辺機器２は、相互にデータ交換をするために、物理的なインターフェースを介して接続されている。ここでは物理的なインターフェースは、ケーブル４と、コネクタ６を介して相互に、かつコンピュータシステム１のホスト・バス・アダプタ３および周辺機器２と接続されたバックプレーン５とで構成されている。ホスト・バス・アダプタ３は、物理的なインターフェースの周辺のバス信号を処理し、この信号を、コンピュータ内部の主配線板に組み込まれているシステム内部のホストバスまたはシステムバス（図示せず）、例えばＰＣＩバス（ＰＣＩ＝Ｐｅｒｉｐｈｅｒａｌ  Ｃｏｍｐｏｎｅｎｔ  Ｉｎｔｅｒｃｏｎｎｅｃｔ）へ伝送する役目をする。周辺機器２は、データ交換のために例えばバックプレーン５と、ケーブル４と、ホスト・バス・アダプタ３とを介してコンピュータシステム１の主配線板と接続された、内部のハードディスクであってよい。しかしながら、周辺機器２は例えば外部のハードディスク、プリンタ、または例えばＰｅｒｓｏｎａｌ  Ｄｉｇｉｔａｌ  Ａｓｓｉｓｔａｎｔ（ＰＤＡ）等のポケットＰＣのような外部の機器であることも考えられる。
【００２９】
データ伝送をするために、２つの単方向の伝送区間９ａおよび９ｂが、コンピュータシステム１のホスト・バス・アダプタ３と周辺機器２との間に備えられている。物理的なインターフェースは、例えばＳＡＳ標準、ＳＡＴＡ標準、ＦＣ標準、またはＵＳＢ３．０標準に対応している。このように伝送区間９ａおよび９ｂは、区別された信号伝送を可能にする２つの回線（明示的には図示せず）をそれぞれ含んでいる。このとき一方の回線にはデータをコーディングするための電圧信号が伝送され、他方の回線には反転された電圧信号が伝送される。受信器はこれら両方の回線の信号から差動電圧を形成することができ、それによってロバスト性が高く誤りのない、雑音の少ない受信信号を得る。
【００３０】
さらにホスト・バス・アダプタ３および周辺機器２は、信号伝送のために利用される送信器８ａおよび８ｂと、受信器７ａおよび７ｂとをそれぞれ有している。ここではデータストリームは、周辺機器２の送信器８ｂから伝送区間９ａを介して、コンピュータシステム１にあるホスト・バス・アダプタ３の受信器７ａへと流れる。これと逆に、別のデータストリームがこれとは違う方向で、ホスト・バス・アダプタ３の送信器８ａから伝送区間９ｂを介して周辺機器２の受信器７ｂへと流れる。伝送区間９ａおよび９ｂのそれぞれの伝送方向は、矢印で図示されている。両方の送信器８ａおよび８ｂは斜線を付して示されている。両方の機器１および２の送信器８ａおよび８ｂ、ならびに受信器７ａおよび７ｂはＰＨＹモジュールであり、すなわち、両方の機器１および２の間での信号伝送のための電子回路または集積回路である。
【００３１】
伝送区間９ａおよび９ｂは複数の部分区域で構成されている。例えばホスト・バス・アダプタ３および周辺機器２にある配線板の配線の区域、バックプレーン５の配線の区域、ケーブル４の回線の区域などがある。これら各々の区域における伝送挙動は、固有の散乱パラメータによって記述される。システム側のホスト・バス・アダプタ３、周辺機器２、ケーブル４、およびバックプレーン５のようなすべての構成要素は、高周波信号を伝送するための散乱パラメータに関して測定をすることができる。すなわち、伝送区間９ａの個々の区域の散乱パラメータ１０ａ、１０ｂ、１０ｃおよび１０ｄ、ならびに伝送区間９ｂの個々の区域の散乱パラメータ１１ａ、１１ｂ、１１ｃおよび１１ｄを検出することができる。
【００３２】
そして、所定の伝送プロトコルに基づいて伝送区間９ａまたは９ｂの回線に電圧信号が印加されることによって、１つの送信器８ａまたは８ｂが伝送区間９ａまたは９ｂを介して、アナログ信号をそれぞれの受信器７ａまたは７ｂに送信すると、伝送区間９ａまたは９ｂの個々の区域は、それぞれの散乱パラメータ１０ａ〜１０ｄおよび１１ａ〜１１ｄを通じて信号に影響を与える。この信号は送信器８ａまたは８ｂからそれぞれの受信器７ａまたは７ｂへと至るまでの経路で、その特性に関して改変または妨害を受ける。このような信号への影響は、誤り率の増大、低い伝送速度、または情報損失に帰結することがある。
【００３３】
従って、送信器８ａおよび８ｂは伝送区間９ａおよび９ｂに合わせて最善に適合化されることが望ましい。これにより、例えば信号エッジの勾配、減衰時間、およびプリエンファシスやデエンファシスといった伝送される信号の特性も相応に改変されて、信号伝送のために最適化される。これにより、受信器７ａおよび７ｂが、個別区間９ａおよび９ｂに合わせて最善に適合化された信号を受信できるようになる。
【００３４】
送信器８ａおよび８ｂのパラメータの適合化は、次のようにして進めることができる。まず、ホスト・バス・アダプタ３が、伝送区間９ａの散乱パラメータ１０ａ〜１０ｃを取得する。これは、例えばコンピュータシステム１をブートしている間のホスト・バス・アダプタ３の初期化段階中に行うことができる。このとき散乱パラメータ１０ａ〜１０ｃは、例えばシステム側で予め散乱パラメータが保存されている、例えばホスト・バス・アダプタ３のコンフィギュレーションレジスタから、または、コンピュータシステム１のアドレシング可能で読取り可能な記憶領域から読み出される。すなわち、コンピュータシステム１は、システム独自のホスト・バス・アダプタ３の散乱パラメータ１０ａに関する情報、ならびに、ケーブル４およびバックプレーン５の散乱パラメータ１０ｂおよび１０ｃに関する情報を有しており、これらの情報は、例えば製造段階において初期設定の際にシステムに記録されたものである。
【００３５】
そしてホスト・バス・アダプタ３は、散乱パラメータ１０ａ〜１０ｃをその送信器８ａにより伝送区間９ｂを介して周辺機器２の受信器７ｂへと送る。これは、プロトコルに適合した最も低い伝送速度で行われるのが好ましく、それによって伝送の誤りを排除することができる。周辺機器２は、散乱パラメータ１０ａ〜１０ｃを、既知である自身の散乱パラメータ１０ｄと合わせて、伝送区間９ａの完全な高周波記述を構成することができ、それに基づいて伝送区間９ａの完全な区間記述を取得することができる。つまりこのプロセスによって、周辺機器２は、伝送区間９ａのシステム側で準備された区域に関する情報と、伝送挙動に関する情報と、信号伝送に対する影響に関する情報とを得る。最終的に、周辺機器２はこれらの情報から、周辺機器２でサポートされているすべての伝送速度について、送信器８ｂの最善のパラメータを算定する。このプロセスが完了すると、周辺機器２は例えば特定の信号列の送信によって、その旨をコンピュータシステム１に通知する。次いで、周辺機器２の送信器８ｂから、伝送区間９ａを介してコンピュータシステム１の受信器７ａにアナログ信号を伝送することができ、このとき信号の特性は、散乱パラメータ１０ａ〜１０ｄに基づき、伝送区間９ａに合わせて適合化されている。
【００３６】
コンピュータシステム１にあるホスト・バス・アダプタ３の送信器８ａの適合化は、これと逆の手順で行われる。まず、周辺機器２は、周辺機器２に既知である散乱パラメータ１１ｄを取得する。この散乱パラメータは同じくコンフィギュレーションレジスタに、またはアドレシング可能で読取り可能な周辺機器２の記憶領域に保存されていてもよい。引き続いて周辺機器２は、散乱パラメータ１１ｄをその送信器８ｂによって、最適化された伝送区間９ａを介して、ホスト・バス・アダプタ３の受信器７ａに送る。さらに、得られた情報に基づき、コンピュータシステム１に既知となった散乱パラメータ１１ａ〜１１ｄから、完全な伝送区間９ｂの高周波記述が算定される。このプロセスの後、コンピュータシステム１は、そのホスト・バス・アダプタ３により伝送区間９ｂの伝送挙動に関する完全な情報を得たため、送信器８ａのアナログ信号の信号特性が伝送区間９ｂに合わせて最善に適合化されるように、送信器８ａのパラメータを適合化することができる。このように、コンピュータシステム１および周辺機器２の両方の送信器８ｂおよび８ａが、それぞれの伝送区間９ａまたは９ｂに合わせて最善に適合化されるので、コンピュータシステム１と周辺機器２との間で誤りがなく障害の少ない信号伝送が保証される。
【００３７】
それぞれの受信器７ａおよび７ｂも、それぞれのパラメータに関して、それぞれの信号特性を持ち、その都度伝送されるアナログ信号に適合化されることが考えられる。受信器７ａおよび７ｂは、例えば、送信器８ａおよび８ｂから信号を受信した後に応答メッセージをそれぞれの送信器８ａまたは８ｂへ送る際に、受信器７ａおよび７ｂの設定に基づいて送信器８ａおよび８ｂの信号振幅が変更される。
【００３８】
さらに、まずコンピュータシステム１にあるホスト・バス・アダプタ３の送信器８ａを前述した方法に基づいて適合化し、次いで、周辺機器２の送信器８ｂをパラメータ化することが可能である。
【００３９】
さらに、物理的なインターフェースの特性、例えばシールドやケーブル長を変更した場合に、前述した方法を実施することが考えられる。しかしながら、例えばコンピュータシステム１のブート後や周辺機器２の初回の呼び出し後に、本方法を既定の時点で定期的および周期的に実施することも可能である。また、それぞれの散乱パラメータ１０ａ〜１０ｄおよび１１ａ〜１１ｄを参照しながら伝送区間９ａおよび９ｂの高周波記述を取得するときに、コネクタ６も一緒に考慮に入れることも可能である。
【００４０】
図２は、図１の送信器８ａまたは８ｂのパラメータを適合化するための、機器１または２の各構成要素、およびこれらの論理演算の模式化された図を示している。散乱パラメータ、例えば図１のパラメータ１０ａ〜１０ｄおよび１１ａ〜１１ｄは、まずレジスタ１２に保存される。このレジスタ１２から、散乱パラメータを処理ユニット１３へ高周波記述の算定のためにロードすることができる。最後に、処理ユニット１３は既定のアルゴリズムを通じて、例えば図１の伝送区間９ａおよび９ｂの高周波挙動を記述するための散乱パラメータである個々の散乱パラメータから、それぞれの区間９ａまたは９ｂの全体的伝送挙動を算定する。
【００４１】
最終的に、この高周波記述は適合化ユニット１４に送られ、この適合化ユニットが、他のレジスタ１５からその他のパラメータを援用した上で、送信器８ａまたは８ｂのパラメータを変更する。他のレジスタ１５に記憶されたその他のパラメータは、例えば適用する伝送プロトコルに基づくその他の情報、または例えば相応する図１の送信器８ａまたは８ｂに合わせてそれぞれの受信器７ａまたは７ｂを適合化するためのパラメータであってもよい。新たに算定されて変更された送信器８ａまたは８ｂのパラメータは、送信器ＰＨＹモジュール１７に直接結合された調整レジスタ１６へ送られる。これは、新たに調整された送信器８ａまたは８ｂのパラメータが、次回の信号伝送のときに直接利用されることを意味している。伝送区間９ａまたは９ｂでの信号伝送は、図２において、それぞれの伝送区間９ａおよび９ｂの＋と−で図示された２つの区別された回線で行われる。従って、図２に相応してパラメータ化された図１の送信器８ａまたは８ｂのアナログ信号は、回線＋では変更されることなく伝送され、回線−では反転されて伝送される。図２の両方の回線＋および−は、最終的に、伝送区間９ａまたは９ｂを形成する。
【００４２】
複数のレジスタ１２、１５および１６、ならびに論理ユニット１３および１４での個々の処理ステップを通じての送信器８ａまたは８ｂのパラメータの適合化は、送信器８ａまたは８ｂで直接具体化されていてもよく、または、図１に示すコンピュータシステム１または周辺機器２にある別々の論理ユニットで具体化されていてもよい。
【００４３】
図示しない実施形態では、コンピュータシステム１と周辺機器２との間の物理的なインターフェースは、双方向の伝送経路で構成されていてもよい。その場合、送信器８ａおよび８ｂならびに受信器７ａおよび７ｂは、ただ１つの伝送区間に対して並列に接続されていてもよい。これにより、アナログ信号はこの伝送区間を介してコンピュータシステム１から周辺機器２へ伝送されるか、または、周辺機器２からコンピュータシステム１へ伝送される。このような設定は、例えばＵＳＢ２．０標準から知られている。
【符号の説明】
【００４４】
１  コンピュータシステム
２  周辺機器
３  ホスト・バス・アダプタ
４  ケーブル
５  バックプレーン
６  コネクタ
７ａ、７ｂ  受信器
８ａ、８ｂ  送信器
９ａ、９ｂ  伝送区間
１０ａ、１０ｂ、１０ｃ、１０ｄ  伝送区間９ａの散乱パラメータ
１１ａ、１１ｂ、１１ｃ、１１ｄ  伝送区間９ｂの散乱パラメータ
１２  散乱パラメータのレジスタ
１３  処理ユニット
１４  適合化ユニット
１５  他のレジスタ
１６  調整レジスタ
１７  送信器ＰＨＹ
【図１】
2011003192.tif 000003
【図２】
2011003192.tif 000004